(57)【要約】【課題】基地局装置から通信制限を受けてスループットが低下した場合に、より適切な基地局装置と通信することができる移動端末装置、基地局装置及び無線通信システムを提供する。【解決手段】移動端末装置１１０が、通信制限を受けているか否かを判定する通信制限判定部２０３と、通信制限判定部２０３が通信制限を受けていると判定した場合に、在圏している基地局装置との通信におけるスループットを示す指標と、在圏する基地局装置を移行した場合に移行先の基地局装置との通信におけるスループットを示す指標とに基づいて、在圏する基地局装置を移行するか否かを判断する通信制御部２０６とを具備する。【選択図】図２
2011087041.tif 000002
【特許請求の範囲】
【請求項１】
通信状況に応じて通信制限を行う基地局装置を含む基地局装置の中からいずれかの基地局装置を選択して在圏する移動端末装置であって、
無線信号を受信する受信部と、
前記受信部が受信した無線信号に基づいて、在圏する基地局装置から通信制限を受けているか否かを判定する通信制限判定部と、
前記在圏する基地局装置との通信のスループットを示す指標である在圏セルスループット指標を生成する在圏セルスループット指標生成部と、
前記在圏する基地局装置以外の在圏可能な基地局装置に移行した場合に、該在圏可能な基地局装置との通信のスループットを示す指標である移行先セルスループット指標を生成する移行先セルスループット指標生成部と、
前記通信制限判定部が通信制限を受けていると判定した場合に、前記在圏セルスループット指標と前記移行先セルスループット指標とに基づいて、在圏する基地局装置を移行するか否かを判断し、移行すると判断した場合は在圏する基地局装置を移行する通信制御部と、
を具備することを特徴とする移動端末装置。
【請求項２】
前記通信状況に応じて通信制限を行う基地局装置は、特定の加入者グループに属するユーザの他に前記特定の加入者グループに属さないユーザもアクセスすることの可能なハイブリッドホームセル基地局装置であることを特徴とする請求項１に記載の移動端末装置。
【請求項３】
通信制限を受けていない場合は、受信電力値の大きな基地局装置に在圏することを特徴とする請求項１に記載の移動端末装置。
【請求項４】
前記通信制御部は、前記通信制限判定部が通信制限を受けていると判定し、かつ、前記移行先セルスループット指標の値が、前記在圏セルスループット指標の値よりも大きい場合に、在圏する基地局装置を移行する条件であるセル移行条件を変更するとともに、変更したセル移行条件に基づいて在圏する基地局装置を移行するか否かの判定を行い、移行すると判定した場合は在圏する基地局装置を移行する、ことを特徴とする請求項１から３のいずれかの項に記載の移動端末装置。
【請求項５】
前記通信制御部は、前記在圏セルスループット指標と、前記移行先セルスループット指標と、を引数に含むセル移行条件に変更することを特徴とする請求項４に記載の移動端末装置。
【請求項６】
前記在圏セルスループット指標は、在圏する基地局装置から１フレーム当たりに割り当てられるリソースブロック数であり、
前記移行先セルスループット指標は、在圏する基地局装置を移行した場合に移行先の基地局装置から１フレーム当たりに割り当てられるリソースブロック数の推定値であることを特徴とする請求項１から５のいずれかの項に記載の移動端末装置。
【請求項７】
前記在圏セルスループット指標は、在圏する基地局装置からのデータ受信におけるスループットであり、前記移行先セルスループット指標は、在圏する基地局装置を移行した場合の移行先の基地局装置からのデータ受信におけるスループットの推定値であることを特徴とする請求項１から５のいずれかの項に記載の移動端末装置。
【請求項８】
前記通信制限判定部は、前記在圏する基地局装置からの報知情報に含まれる、通信制限を行っているか否かを示す情報に基づいて、前記通信制限を受けているか否かを判定することを特徴とする請求項１から７のいずれかの項に記載の移動端末装置。
【請求項９】
前記通信制限判定部は、前記在圏する基地局装置から移動端末装置個別に送信された信号に含まれる、通信制限を行っているか否かを示す情報に基づいて、前記通信制限を受けているか否かを判定することを特徴とする請求項１から７のいずれかの項に記載の移動端末装置。
【請求項１０】
前記受信部は、前記在圏する基地局装置からの信号の受信電力を算出し、
前記通信制限判定部は、前記在圏セルスループット指標の値と前記受信電力とに基づいて、前記通信制限が行われているか否かを判定する、
ことを特徴とする請求項１から７のいずれかの項に記載の移動端末装置。
【請求項１１】
前記移行先セルスループット指標生成部は、何れかの基地局装置から受信する信号に含まれる、移動端末装置における受信電力と当該移動端末装置が基地局装置からデータを受信する際のスループットとの関係を示すデータに基づいて、前記移行先セルスループット指標を生成することを特徴とする請求項１から１０のいずれかの項に記載の移動端末装置。
【請求項１２】
移動端末装置に対する無線リソースの割り当てを決定する通信制御部と、
前記通信制御部が割り当てた無線リソース量に基づいて通信制限を行うか否かを決定する通信制限設定部と、
前記通信制限設定部が通信制限を設定した場合に、通信制限を行っていることを示す信号を送信する送信部と、
を具備し、
前記通信制御部は、前記通信制限設定部が通信制限を行うと決定すると、予め定められた条件を満たさない移動端末装置に対して割り当てる無線リソース量を、前記通信制限設定部が通信制限を行わないと決定した場合よりも減少させる、
ことを特徴とする基地局装置。
【請求項１３】
移動端末装置から受信する、前記移動端末装置における受信電力と、前記移動端末装置に割り当てた無線リソース量とを出力する通信制御部と、
前記通信制御部が出力する前記受信電力と前記無線リソース量とに基づいて、移動端末装置における受信電力と当該移動端末装置が基地局装置からデータを受信する際のスループットとの関係を示すデータを生成する想定無線リソーステーブル生成部と、
前記想定無線リソーステーブル生成部が生成した、移動端末装置における受信電力と当該移動端末装置が基地局装置からデータを受信する際のスループットとの関係を示すデータを送信する送信部と、
を具備することを特徴とする基地局装置。
【請求項１４】
複数の移動端末装置と、複数の移動端末装置と通信を行う無線基地局装置とを具備する無線通システムであって、
前記移動端末装置の少なくとも１つは、
無線信号を受信する受信部と、
前記受信部が受信した無線信号に基づいて、在圏する基地局装置から通信制限を受けているか否かを判定する通信制限判定部と、
前記在圏する基地局装置との通信のスループットを示す指標である在圏セルスループット指標を生成する在圏セルスループット指標生成部と、
前記在圏する基地局装置以外の在圏可能な基地局装置に移行した場合に、該在圏可能な基地局装置との通信のスループットを示す指標である移行先セルスループット指標を生成する移行先セルスループット指標生成部と、
前記通信制限判定部が通信制限を受けていると判定した場合に、前記在圏セルスループット指標と前記移行先セルスループット指標とに基づいて、在圏する基地局装置を移行するか否かを判断し、移行すると判断した場合は在圏する基地局装置を移行する通信制御部と、
を具備し、
前記基地局装置のうち少なくとも１つは、
移動端末装置に対する無線リソースの割り当てを決定する通信制御部と、
前記通信制御部が割り当てた無線リソース量に基づいて通信制限を行うか否かを決定する通信制限設定部と、
を具備し、
前記通信制御部は、前記通信制限設定部が通信制限を行うと決定すると、予め定められた条件を満たさない移動端末装置に対して割り当てる無線リソース量を、前記通信制限設定部が通信制限を行わないと決定した場合よりも減少させる、
ことを特徴とする無線通信システム。
【発明の詳細な説明】
【技術分野】
【０００１】
本発明は、移動端末装置、基地局装置及び無線通信システムに関する。
【背景技術】
【０００２】
近年、無線通信システムの基地局装置として、従来の広範囲なサービスエリアを有するマクロセル基地局装置に加え、サービスエリアの狭いホームセル基地局装置（フェムトセル基地局装置）が提案されている。３ＧＰＰ，Ｅ−ＵＴＲＡ（The 3rd Generation Partnership Project Evolved Universal Terrestrial Radio Access；第三世代パートナーシップ・プロジェクトのユニバーサル地上無線通信アクセスの進化）においてもホームセル基地局装置の運用に関する検討がなされている（例えば、非特許文献１）。
【０００３】
ホームセル基地局装置のアクセス設定には、以下の三つが提案されている。第一がオープンアクセス、第二がクローズドアクセス、第三がハイブリッドアクセスである。オープンアクセスは、マクロセル基地局装置と同様に、任意の移動端末装置がアクセス可能な設定である。クローズドアクセスは、ＣＳＧ（Closed Subscriber Group；特定の加入者グループ）に属するユーザの移動端末装置のみがアクセスが可能な設定である。ハイブリッドアクセスは、ＣＳＧに属するユーザの移動端末装置に加えて、ＣＳＧに属さないユーザの移動端末装置もアクセスが可能な設定である。ハイブリッドアクセスでは、ＣＳＧに属さないユーザの移動端末装置に対して、後述する通信制限が行われることがある。なお、ＣＳＧの例として、会社における従業員や、ある施設における施設利用者や、家庭における家族などが挙げられる。
また、移動端末装置が、在圏可能な複数の基地局装置の中から在圏する基地局装置を１つ選択（セル選択）する際、各基地局装置から受信する信号の受信電力を測定し、受信電力が最大となる基地局装置を選択する方法が、一般的に用いられている（例えば、非特許文献２）。
【先行技術文献】
【特許文献】
【０００４】
【非特許文献１】３ＧＰＰ、ＴＳ２２．２２０、Ｖ９．１．１、２００９年６月
【非特許文献２】３ＧＰＰ、ＴＳ３６．３０４、Ｖ８．５．０、２００９年３月
【発明の概要】
【発明が解決しようとする課題】
【０００５】
上述したように、ホームセル基地局装置のアクセス設定がハイブリッドアクセスであった場合、ＣＳＧに属するユーザの移動端末装置及びＣＳＧに属さないユーザの移動端末装置の双方がアクセスできる。このため、ホームセル基地局装置が、ＣＳＧに属さないユーザの移動端末装置に無線リソースを割り当てることによって、ＣＳＧに属するユーザの移動端末装置に割り当てる無線リソースが不足するおそれがある。この無線リソースの不足を防止するために、ハイブリッドアクセスのホームセル基地局装置（以下、ハイブリッドホームセル基地局装置ともいう）は、ＣＳＧに属さないユーザの移動端末装置に割り当てる無線リソース量を通信状況に応じて制限し、当該ユーザについて通信のスループット（通信速度）を低下させる場合がある。この通信のスループットの低下は、通信制限と呼ばれる。
【０００６】
ここで、上述したように、移動端末装置が、在圏する基地局装置として受信電力の大きい基地局装置を選択するセル選択を行う場合、ハイブリッドホームセル基地局装置からの受信電力が最大であれば、通信制限の有無にかかわらず、このハイブリッドホームセル基地局装置に在圏し続ける。
ハイブリッドホームセル基地局装置からの受信電力が最大となる領域内に、移動端末装置が多く存在する場合、これらの移動端末装置は全て、上記のハイブリッドホームセル基地局装置に在圏し、ＣＳＧに属さないユーザの移動端末装置は通信制限を受ける。この場合に、より多くの無線リソースを利用可能であり、より高いスループットが得られる他の基地局装置が存在する場合であっても、通信制限を受けている移動端末装置が、他の基地局装置に移行せずに上記のハイブリッドホームセル基地局装置に在圏し続けるという問題があった。
【０００７】
本発明は、このような事情に鑑みてなされたもので、その目的は、基地局装置から通信制限を受けてスループットが低下した場合に、より適切な基地局装置と通信することができる移動端末装置、無線基地局装置及び無線通信システムを提供することにある。
【課題を解決するための手段】
【０００８】
［１］この発明は上述した課題を解決するためになされたもので、本発明の一態様による移動端末装置は、通信状況に応じて通信制限を行うハイブリッドホームセル基地局装置を含む基地局装置の中からいずれかの基地局装置を選択して在圏する移動端末装置であって、無線信号を受信する受信部と、前記受信部が受信した無線信号に基づいて、在圏する基地局装置から通信制限を受けているか否かを判定する通信制限判定部と、前記在圏する基地局装置との通信におけるスループットを示す指標である在圏セルスループット指標を生成する在圏セルスループット指標生成部と、前記在圏する基地局装置以外の在圏可能な基地局装置に移行した場合に、該在圏可能な基地局装置との通信におけるスループットを示す指標である移行先セルスループット指標を生成する移行先セルスループット指標生成部と、前記通信制限判定部が通信制限を受けていると判定した場合に、前記在圏セルスループット指標と前記移行先セルスループット指標とに基づいて、在圏する基地局装置を移行するか否かを判断し、移行すると判断した場合は在圏する基地局装置を移行する通信制御部と、を具備することを特徴とする。
この移動端末装置は、在圏セルスループット指標と移行先セルスループット指標とに基づいて在圏する基地局装置を移行するか否かを判断するので、基地局装置から通信制限を受けてスループットが低下した場合に、より適切な基地局装置と通信することができる。
【０００９】
［２］また、本発明の一態様による移動端末装置は上述の移動端末装置であって、前記通信制御部は、前記通信制限判定部が通信制限を受けていると判定し、かつ、前記移行先セルスループット指標の値が、前記在圏セルスループット指標の値よりも大きい場合に、在圏する基地局装置を移行する条件であるセル移行条件を変更するとともに、変更したセル移行条件に基づいて在圏する基地局装置を移行するか否かの判定を行い、移行すると判定した場合は在圏する基地局装置を移行する、ことを特徴とする。
この移動端末装置は、移行先セルスループット指標が在圏セルスループット指標より大きい場合に、直ちにセル移行を行うのではなく、セル移行条件を変更する。セル移行条件を変更した後一定時間はセル移行条件を元に戻さないことにより、当該移動端末装置が在圏しなければ、移行前の基地局装置が通信制限を行わないが、当該移動端末装置が在圏すると通信制限を行う状態において、当該移動端末装置が移行前の基地局装置と他の基地局装置との間でセル移行を繰り返す事態を避けることができる。
【００１０】
［３］また、本発明の一態様による移動端末装置は上述の移動端末装置であって、前記通信制御部は、前記在圏セルスループット指標と、前記移行先セルスループット指標と、を引数に含むセル移行条件に変更することを特徴とする。
この移動端末装置は、通信制限を受けていると判定した場合に、在圏セルスループット指標と移行先セルスループット指標とを引数に含むセル移行条件に変更するので、上記と同様、通信制限を受けてスループットが低下した場合に、より適切な基地局装置と通信することができる。
【００１１】
［４］また、本発明の一態様による移動端末装置は上述の移動端末装置であって、前記在圏セルスループット指標は、在圏する基地局装置から１フレーム当たりに割り当てられるリソースブロック数であり、前記移行先セルスループット指標は、在圏する基地局装置を移行した場合に移行先の基地局装置から１フレーム当たりに割り当てられるリソースブロック数の推定値であることを特徴とする。
この移動端末装置は、在圏セルや移行先セルのスループットの指標として、１フレーム当たりに当該移動端末装置に割り当てられるリソースブロック数を用いる。通常、割り当てられるリソースブロック数が多いほどスループットが向上するので、これらの指標を用いることにより、在圏セルを移行することによってスループットが向上するか否かを予想することができ、上記と同様、通信制限を受けてスループットが低下した場合に、より適切な基地局装置と通信することができる。
【００１２】
［５］また、本発明の一態様による移動端末装置は上述の移動端末装置であって、前記在圏セルスループット指標は、在圏する基地局装置からのデータ受信におけるスループットであり、前記移行先セルスループット指標は、在圏する基地局装置を移行した場合の移行先の基地局装置からのデータ受信におけるスループットの推定値であることを特徴とする。
この移動端末装置は、在圏セルや移行先セルとの通信におけるスループットの指標として、データ受信におけるスループットを用いる。これらの指標を用いることにより、在圏セルを移行することによってスループットが向上するか否かを予想することができ、上記と同様、通信制限を受けてスループットが低下した場合に、より適切な基地局装置と通信することができる。
【００１３】
［６］また、本発明の一態様による移動端末装置は上述の移動端末装置であって、前記通信制限判定部は、前記在圏する基地局装置からの報知情報に含まれる、通信制限を行っているか否かを示す情報に基づいて、前記通信制限を受けているか否かを判定することを特徴とする。
この移動端末装置は、在圏する基地局装置からの報知情報に含まれる、通信制限を行っているか否かを示す情報に基づいて、通信制限を受けているか否かを判断する。これにより、上記と同様、通信制限を受けてスループットが低下した場合に、より適切な基地局装置と通信することができる。
【００１４】
［７］また、本発明の一態様による移動端末装置は上述の移動端末装置であって、前記通信制限判定部は、前記在圏する基地局装置から移動端末装置個別に送信された信号に含まれる、通信制限を行っているか否かを示す情報に基づいて、前記通信制限を受けているか否かを判定することを特徴とする。
この移動端末装置は、在圏する基地局装置から移動端末装置個別に送信された信号に含まれる、通信制限を行っているか否かを示す情報に基づいて、通信制限を受けているか否かを判断する。これにより、上記と同様、通信制限を受けてスループットが低下した場合に、より適切な基地局装置と通信することができる。
【００１５】
［８］また、本発明の一態様による移動端末装置は上述の移動端末装置であって、前記受信部は、前記在圏する基地局装置からの信号の受信電力を算出し、前記通信制限判定部は、前記在圏セルスループット指標の値と前記受信電力とに基づいて、前記通信制限が行われているか否かを判定する、ことを特徴とする。
この移動端末装置は、在圏する基地局装置からの信号の受信電力と、在圏セルスループット指標の値とに基づいて、通信制限を受けているか否かを判断するので、基地局装置から通信制限が行われていることを示す信号を受信ぜずとも、通信制限を受けているか否かを判断することができる。
【００１６】
［９］また、本発明の一態様による移動端末装置は上述の移動端末装置であって、前記移行先セルスループット指標生成部は、通信可能な何れかの基地局装置から受信する信号に含まれる、移動端末装置における受信電力と当該移動端末装置が基地局装置からデータを受信する際のスループットとの関係を示すデータに基づいて、前記移行先セルスループット指標を生成することを特徴とする。
この移動端末装置は、移動端末装置における受信電力と当該移動端末装置が基地局装置からデータを受信する際のスループットとの関係を示すデータに基づいて、移行先セルスループット指標を生成するので、この移行先セルスループット指標を用いて、上記と同様、通信制限を受けてスループットが低下した場合に、より適切な基地局装置と通信することができる。
【００１７】
［１０］また、本発明の一態様による基地局装置は、移動端末装置に対する無線リソースの割り当てを決定する通信制御部と、前記通信制御部が割り当てた無線リソース量に基づいて通信制限を行うか否かを決定する通信制限設定部と、前記通信制限設定部が通信制限を設定した場合に、通信制限を行っていることを示す信号を送信する送信部と、を具備し、前記通信制御部は、前記通信制限設定部が通信制限を行うと決定すると、予め定められた条件を満たさない移動端末装置に対して割り当てる無線リソース量を、前記通信制限設定部が通信制限を行わないと決定した場合よりも減少させる、ことを特徴とする。
この基地局装置は、通信制限を設定した場合に、通信制限を行っていることを示す信号を送信するので、この信号を受信した移動端末装置は、通信制限を受けているか否かを判断することができる。
【００１８】
［１１］また、本発明の一態様による基地局装置は、移動端末装置から受信する、前記移動端末装置における受信電力と、前記移動端末装置に割り当てた無線リソース量とを出力する通信制御部と、前記通信制御部が出力する前記受信電力と前記無線リソース量とに基づいて、移動端末装置における受信電力と当該移動端末装置が基地局装置からデータを受信する際のスループットとの関係を示すデータを生成する想定無線リソーステーブル生成部と、前記想定無線リソーステーブル生成部が生成した、移動端末装置における受信電力と当該移動端末装置が基地局装置からデータを受信する際のスループットとの関係を示すデータを送信する送信部と、を具備することを特徴とする。
この基地局装置は、移動端末装置における受信電力と当該移動端末装置が基地局装置からデータを受信する際のスループットとの関係を示すデータを送信するので、このデータを受信した移動端末装置は、このデータに基づいて、在圏する基地局装置を移行した場合の受信データスのループットを推定することができる。
【００１９】
［１２］また、本発明の一態様による無線通信システムは、前記移動端末装置の少なくとも１つは、無線信号を受信する受信部と、前記受信部が受信した無線信号に基づいて、在圏する基地局装置から通信制限を受けているか否かを判定する通信制限判定部と、前記在圏する基地局装置との通信におけるスループットを示す指標である在圏セルスループット指標を生成する在圏セルスループット指標生成部と、前記在圏する基地局装置以外の在圏可能な基地局装置に移行した場合に、該在圏可能な基地局装置との通信におけるスループットを示す指標である移行先セルスループット指標を生成する移行先セルスループット指標生成部と、前記通信制限判定部が通信制限を受けていると判定した場合に、前記在圏セルスループット指標と前記移行先セルスループット指標とに基づいて、在圏する基地局装置を移行するか否かを判断し、移行すると判断した場合は在圏する基地局装置を移行する通信制御部と、を具備し、前記基地局装置のうち少なくとも１つは、移動端末装置に対する無線リソースの割り当てを決定する通信制御部と、前記通信制御部が割り当てた無線リソース量に基づいて通信制限を行うか否かを決定する通信制限設定部と、を具備し、前記通信制御部は、前記通信制限設定部が通信制限を行うと決定すると、予め定められた条件を満たさない移動端末装置に対して割り当てる無線リソース量を、前記通信制限設定部が通信制限を行わないと決定した場合よりも減少させる、ことを特徴とする。
この無線通信システムでは、移動端末装は、基地局装置から通信制限を受けているか否かを判断する。そして、通信制限を受けていると判断した場合には、移動端末装置は、在圏セルスループット指標と移動先セルスループット指標に基づいて在圏する基地局装置を移行するか否かを判断する。これにより、基地局装置から通信制限を受けてスループットが低下した場合に、より適切な基地局装置と通信することができる。
【発明の効果】
【００２０】
本発明によれば、移動端末装置は、基地局装置から通信制限を受けてスループットが低下した場合に、より適切な基地局装置と通信することができる。
【図面の簡単な説明】
【００２１】
【図１】本発明の第１の実施形態における無線通信システム１００の概略構成を示すシステム構成図である。
【図２】同実施形態における移動端末装置１１０の概略構成を示す構成図である。
【図３】同実施形態において変換テーブル記憶部２１０が記憶する変換テーブルのデータ構成を示すデータ構成図である。
【図４】同実施形態において移動端末装置１１０がセルを移行するか否かを判定する処理手順を示すフローチャートである。
【図５】同実施形態においてハイブリッドホームセル基地局装置１２０の概略構成を示す構成図である。
【図６】本発明の第２の実施形態における移動端末装置１１２の概略構成を示す構成図である。
【図７】同実施形態において受信状況記憶部３１２が記憶する在圏セルスループット指標と受信電力とのテーブルのデータ構成を示す図である。
【図８】本発明の第３の実施形態における無線通信システム１０２の概略構成を示すシステム構成図である。
【図９】同実施形態におけるハイブリッドホームセル基地局装置１２５の概略構成を示す構成図である。
【図１０】同実施形態において無線リソース履歴記憶部８２３が記憶する無線リソース履歴テーブルのデータ構成を示すデータ構成図である。
【図１１】同実施形態において想定無線リソーステーブル記憶部８２２が記憶する想定無線リソーステーブルのデータ構成を示すデータ構成図である。
【図１２】同実施形態における移動端末装置１１３の概略構成を示す構成図である。
【発明を実施するための形態】
【００２２】
＜第１の実施形態＞
以下、図面を参照して、本発明の実施の形態について説明する。
図１は、本発明の第１の実施形態における無線通信システム１００の概略構成を示すシステム構成図である。同図において、無線通信システム１００は、移動端末装置１１０及び１１１と、ハイブリッドホームセル基地局装置１２０と、ホームセル基地局装置１２１と、マクロセル基地局装置１２２とを含んで構成される。
移動端末装置１１０及び１１１は移動電話端末装置等の移動端末装置である。ハイブリッドホームセル基地局装置１２０とホームセル基地局装置１２１とマクロセル基地局装置１２２とは、移動端末装置１１０及び１１１との間で無線通信回線を確立して無線通信を行う基地局装置である。
【００２３】
ハイブリッドホームセル基地局装置１２０とホームセル基地局装置１２１とは、マクロセル基地局装置１２２よりもサービスを提供する範囲が狭い。同図の、各基地局装置を囲む線Ｃ１〜Ｃ３は基地局装置の電波が届く範囲、すなわちサービスを提供する範囲（セル）を示す。ハイブリッドホームセル基地局装置１２０がサービスを提供する範囲をセルＣ１で示し、ホームセル基地局装置１２１がサービスを提供する範囲をセルＣ２で示し、マクロセル基地局装置１２２がサービスを提供する範囲をセルＣ３で示す。この電波が届く範囲に含まれる移動端末装置は、基地局装置の電波を受信し得る。たとえば、図１において、移動端末装置１１０は、マクロセル基地局装置１２２とハイブリッドホームセル基地局装置１２０とホームセル基地局装置１２１との電波を受信し得る。移動端末装置１１０はハイブリッドホームセル基地局装置１２０のＣＳＧに属していないユーザの移動端末装置である。また、移動端末装置１１０はホームセル基地局装置１２１のＣＳＧに属しており、ホームセル基地局装置１２１にアクセス可能である。一方、移動端末装置１１１は、マクロセル基地局装置１２２とハイブリッドホームセル基地局装置１２０との電波を受信し得る。移動端末装置１１１はハイブリッドホームセル基地局装置１２０のＣＳＧに属しているユーザの移動端末装置である。
【００２４】
図２は、移動端末装置１１０の概略構成を示す構成図である。同図において、移動端末装置１１０は、アンテナ部２０１と受信部２０２と通信制限判定部２０３と在圏セルスループット指標生成部２０４と移行先セルスループット指標生成部２０５と通信制御部２０６とアプリケーション部２０７と送信部２０８とＣＳＧリスト記憶部２０９と変換テーブル記憶部２１０とセル移行条件記憶部２１１とを含んで構成される。
アンテナ部２０１は、送信部２０８が出力する無線信号を基地局装置に向けて送信するとともに、基地局装置からの無線信号を受信して、受信した信号を受信部２０２へ出力する。受信部２０２は、アンテナ部２０１を介して基地局装置からの信号を受信し、受信信号から受信データを読み出して通信制限判定部２０３と在圏セルスループット指標生成部２０４と移行先セルスループット指標生成部２０５と通信制御部２０６とアプリケーション部２０７とに出力する。また、受信部２０２は、各基地局装置から受信した信号の受信電力値（以下、単に「受信電力」と称する。）を算出し、移行先セルスループット指標生成部２０５と通信制御部２０６とに出力する。
【００２５】
通信制限判定部２０３は、受信部２０２が出力するデータに基づいて、現在在圏している基地局装置から通信制限を受けているか否かを判定する。在圏セルスループット指標生成部２０４は、受信部２０２が出力するデータに基づいて、現在在圏している基地局装置との通信におけるスループットを示す指標である在圏セルスループット指標を生成する。在圏セルスループット指標については後述する。移行先セルスループット指標生成部２０５は、受信部２０２が出力するデータ及び受信電力に基づいて、通信を行う基地局装置を移行した場合に、移行先の基地局装置との通信におけるスループットを示す指標である移行先セルスループット指標を生成する。移行先セルスループット指標については後述する。
【００２６】
通信制御部２０６は、各部の制御を行う。また、通信制御部２０６は、通信を行う基地局装置の移行を行う。詳細については後述する。アプリケーション部２０７は、例えば文書ファイルの表示やメールの作成や受信メールの表示等の処理を行い、送信メール等の送信データを送信部２０８に出力する。送信部２０８は、アプリケーション部２０７から出力されるデータを在圏する基地局装置に、アンテナ部２０１を介して送信する。
ＣＳＧリスト記憶部２０９は、移動端末装置１１０のユーザが属するＣＳＧの識別子（identifier; ID）のリストを記憶する。ＣＳＧの識別子は、基地局装置のＣＳＧを識別する識別子である。変換テーブル記憶部２１０は、移行先セルスループット指標を受信電力と対応付けて記憶する。セル移行条件記憶部２１１は、通信を行う基地局装置を移行する条件を記憶する。
なお、移動端末装置１１０は、ユーザの操作を受け付ける操作入力部など、上記以外の部分を含んで構成されるが、説明及び図示を省略する。なお、移動端末装置１１１の構成は、移動端末装置１１０の構成と同様であり、図示及び説明を省略する。
【００２７】
次に、移動端末装置１１０の動作について説明する。
移動端末装置１１０は、在圏中のハイブリッドホームセル基地局装置１２０から受信する報知情報に基づいて、通信制限を受けているか否かを判定する。
具体的にはまず、ハイブリッドホームセル基地局装置１２０が、ＣＳＧメンバ以外のユーザの移動端末装置に対して通信制限を行っているか否かを示す通信制限情報と、当該基地局装置のＣＳＧの識別子とを、報知情報に含めて送信する。次に、移動端末装置１１０の受信部２０２は、ハイブリッドホームセル基地局装置１２０から受信するこの報知情報から、通信制限情報とＣＳＧの識別子とを読み出し、読み出した通信制限情報とＣＳＧの識別子とを通信制限判定部２０３へ出力する。
【００２８】
通信制限判定部２０３は、通信制限情報とＣＳＧの識別子とが受信部２０２から出力されると、受信部２０２から出力された通信制限情報に基づいて、在圏中の基地局装置（ここでは、ハイブリッドホームセル基地局装置１２０）がＣＳＧメンバ以外のユーザの移動端末装置に対して通信制限を行っているか否かを判断する。通信制限を行っていると判断した場合は、通信制限判定部２０３は、受信部２０２から出力されたＣＳＧの識別子がＣＳＧリスト記憶部２０９に記憶されているか否かを判断する。通信制限判定部２０３は、在圏中のハイブリッドホームセル基地局装置１２０がＣＳＧメンバ以外のユーザの移動端末装置に対して通信制限を行っており、かつ、ＣＳＧの識別子がＣＳＧリスト記憶部２０９に記憶されていないと判断した場合は、在圏中のハイブリッドホームセル基地局装置１２０から通信制限を受けていると判断し、それ以外の場合は、通信制限を受けていないと判断する。通信制限判定部２０３は、判断結果に基づいて、通信制限を受けているか否かを示す情報を生成する。
通信制限判定部２０３は、生成した通信制限を受けているか否かを示す情報を、在圏セルスループット指標生成部２０４と、移行先セルスループット指標生成部２０５とに出力する。
【００２９】
在圏セルスループット指標生成部２０４は、通信制限判定部２０３から出力される、通信制限を受けているか否かを示す情報が、通信制限を受けていることを示す場合は、現在在圏中の基地局装置（ここでは、ハイブリッドホームセル基地局装置１２０）との通信におけるスループットを示す指標である在圏セルスループット指標を生成する。具体的には、例えば、在圏セルスループット指標生成部２０４は、下り回線の無線フレーム１個当たりの、自移動端末装置１１０に割り当てられているリソースブロック数を、現在在圏している基地局装置から送信される制御信号から読み出し、読み出したリソースブロック数を在圏セルスループット指標とする。ここでいう、リソースブロックとは、基地局装置が移動端末装置毎に割り当てる無線リソースの単位である。例えば、ＯＦＤＭ（Orthogonal Frequency Division Multiplexing；直交波周波数分割多重）においては、フレームをＯＦＤＭシンボル毎かつサブキャリア毎に分割して得られるリソースエレメントを所定数まとめてリソースブロックが構成され、基地局装置は、各リソースブロックを何れかの移動端末装置に割り当てる。移動端末装置に割り当てられるリソースブロック数が多いほど、当該移動端末装置の当該基地局装置との通信におけるスループットが大きくなると期待されるので、移動端末装置１１０は、上述のようにリソースブロック数を在圏セルスループット指標として用いる。
ただし、在圏セルスループット指標はリソースブロック数に限らず、現在在圏している基地局装置との通信におけるスループットを示す他の値でもよい。例えば、在圏セルスループット指標生成部２０４が、現在在圏している基地局装置からのデータ受信におけるスループットを算出し、算出したスループットを在圏セルスループット指標として用いるようにしてもよい。
在圏セルスループット指標生成部２０４は、生成した在圏セルスループット指標を通信制御部２０６に出力する。
【００３０】
また、移行先セルスループット指標生成部２０５は、通信制限判定部２０３から出力される、通信制限を受けているか否かを示す情報が、通信制限を受けていることを示す場合は、セル移行先候補となるホームセル基地局装置１２１またはマクロセル基地局装置１２２との通信におけるスループットを示す指標である移行先セルスループット指標を生成する。移行先セルスループット指標生成部２０５は、以下のように、変換テーブル記憶部２１０が記憶する変換テーブルから移行先セルスループット指標を読み出すことにより、移行先セルスループット指標を生成する。
【００３１】
図３は、変換テーブル記憶部２１０が記憶する変換テーブルのデータ構成を示すデータ構成図である。同図において、変換テーブルは、受信電力とセル種毎の移行先セルスループット指標とを含んで構成される。変換テーブル記憶部２１０は、在圏する基地局装置を移行した場合に、移行先の基地局装置から受信する無線フレーム１個当たりの、自移動端末装置１１０に割り当てられるリソースブロック数の予想値である移行先セルスループット指標を、受信電力毎かつセル種毎に予め記憶する。なお、在圏セルスループット指標生成部２０４が、在圏する基地局装置からのデータ受信におけるスループットを在圏セルスループット指標として算出する場合は、変換テーブル記憶部２１０も、移行先候補の基地局装置からのデータ受信におけるスループットを移行先セルスループット指標として記憶するなど、変換テーブル記憶部２１０は、在圏セルスループット指標と比較可能なデータを移行先セルスループット指標として記憶する。受信電力や移行先セルスループット指標の単位も、在圏セルスループット指標と比較可能な単位を用いる。図３では、受信電力の単位としてデシベルミリ（ｄＢｍ）を用い、移行先セルスループット指標（ここではリソースブロック数）の単位として「個」を用いている。
【００３２】
セル種の違いは、基地局装置が１フレーム当たりに送信可能な総リソースブロック数の違いを示す。この、１フレーム当たりに送信可能な総リソースブロック数の違いは、例えば基地局装置の規模の違いによって生じる。また、各基地局装置は、在圏している各移動端末装置が最大通信速度を必要としている場合は、受信電力が大きい移動端末装置に対して、より多くのリソースブロックを割り当てるよう設定されている。このため、変換テーブル記憶部２１０が記憶する変換テーブルは、受信電力が大きいほど移行先セルスループット指標も大きい値となっている。
同図の変換テーブルは、例えば、受信電力が−１０５デシベルミリの場合、セル種２の無線基地局装置に移行すると、無線フレーム１個当たり１６個のリソースブロックが割り当てられるとの予想値を示す。
なお、上記のリソースブロック割当方法および変換テーブルは一例であり、これに限らない。基地局装置のリソースブロック割当方法が上記と異なる場合は、基地局装置が、その割当方法に応じた変換テーブルを記憶するようにしてもよい。例えば、基地局装置が、移動端末装置の機種ごとに異なるリソースブロック数を割り当て、同一機種に対しては受信電力にかかわらず同じリソースブロック数を割り当てる場合は、移動端末装置の機種と割り当てるリソースブロック数とを対応付けて記憶する。これにより、移動端末装置は、基地局装置のリソースブロック割当方法に即した移行先セルスループット指標を、変換テーブルから読み出すことができる。
【００３３】
図２に戻って、受信部２０２はセル移行先候補の基地局装置の報知情報からセル種を読み出し、また、例えば５分毎等、周期的にセル移行先候補の基地局装置からの受信電力を検出する。移行先セルスループット指標生成部２０５は、受信部２０２から出力されるセル種と受信電力とに基づいて、変換テーブルから移行先セルスループット指標を読み出す。
なお、変換テーブル記憶部２１０が、変換テーブルをセル種毎に別テーブルとして記憶するようにしてもよい。なお、在圏セルスループット指標生成部２０４が在圏セルスループット指標を生成した際に、生成した在圏セルスループット指標を変換テーブルの該当する欄に書き込むことによって変換テーブルを更新するようにしてもよい。
移行先セルスループット指標生成部２０５は、生成した移行先セルスループット指標を通信制御部２０６に出力する。複数の基地局装置について移行先セルスループット指標を生成した場合は、移行先セルスループット指標生成部２０５は、生成した全ての移行先セルスループット指標を通信制御部２０６に出力する。
【００３４】
通信制御部２０６は、在圏セルスループット指標生成部２０４が出力する在圏セルスループット指標と、移行先セルスループット指標生成部２０５が出力する移行先セルスループット指標とに基づいて、セル移行条件を変更するか否かを決定する。具体的には、通信制御部２０６は、通信制限を受けていて、かつ、通信する基地局装置を移行した場合のスループットが現在在圏する基地局装置でのスループットよりも大きいと判断した場合に、セル移行条件を変更する。その際、通信制御部２０６は、移行先セルスループット指標が在圏セルスループット指標よりも大きい場合に、通信する基地局装置を移行した場合のスループットが現在在圏する基地局装置でのスループットよりも大きいと判断する。
なお、セル移行先候補の基地局装置が複数ある場合は、在圏セルスループット指標よりも大きい移行先セルスループット指標が１つでもあれば、通信制御部２０６は、通信する基地局装置を移行した場合のスループットが現在在圏する基地局装置でのスループットよりも大きいと判断する。
【００３５】
図４は、移動端末装置１１０がセルを移行するか否かを判定する処理手順を示すフローチャートである。移動端末装置１１０は、起動されると、セルを移行するか否かを判定する処理を開始する。
ステップＳ６０１において通信制限判定部２０３は、在圏している基地局装置（例えば、ハイブリッドホームセル基地局装置１２０）から通信制限を受けているか否かを判定する。通信制限を受けていると判定した場合（ステップＳ６０１：ＹＥＳ）はステップＳ６０２へ進み、受けていないと判定した場合（ステップＳ６０１：ＮＯ）はステップＳ６０５へ進む。
ステップＳ６０２において、在圏セルスループット指標生成部２０４は、在圏セルスループット指標を生成し、移行先セルスループット指標生成部２０５は、移行先セルスループット指標を変換テーブル記憶部２１０から読み出す。ステップＳ６０３において、通信制御部２０６は、移行先候補セルにおけるスループットが在圏しているセルでのスループットよりも大きいか否かを判断する。在圏しているセルでのスループットのほうが大きいと判断した場合（ステップＳ６０３：ＮＯ）はステップＳ６０５へ進み、移行先候補セルにおけるスループットの方が大きいと判断した場合（ステップＳ６０３：ＹＥＳ）はステップＳ６０４へ進む。
【００３６】
ステップＳ６０４において、通信制御部２０６は、セル移行するか否かを判断する際に用いるセル移行条件を変更する。ここで、セル移行条件記憶部２１１は、在圏セルスループット指標と移行先セルスループット指標とを引数に含まないセル移行条件として、在圏しているセルの受信電力＋ヒステリシスよりも、移行先候補のセルの受信電力−オフセットの方が大きい場合にセルを移行するというセル移行条件を記憶している。また、セル移行条件記憶部２１１は、在圏セルスループット指標と移行先セルスループット指標とを引数に含むセル移行条件として、在圏しているセルの受信電力＋ヒステリシス＋在圏セルスループット指標よりも、移行先候補のセルの受信電力−オフセット＋移行先セルスループット指標の方が大きい場合にセルを移行するという条件も記憶している。通信制御部２０６がセル移行条件を変更する前は、在圏しているセルの受信電力＋ヒステリシスよりも、移行先候補のセルの受信電力−オフセットの方が大きい場合にセルを移行するというセル移行条件が選択されている。通信制御部２０６は、在圏しているセルの受信電力＋ヒステリシス＋在圏セルスループット指標よりも、移行先候補のセルの受信電力−オフセット＋移行先セルスループット指標の方が大きい場合にセルを移行するという条件を選択することにより、セル移行するか否かを判断する際に用いるセル移行条件を変更する。ここで、ヒステリシスとオフセットとは、正の定数である。
なお、受信電力とスループットの指標とのどちらを重視するかは、これらに係数をかけることによって調整することができる。例えば、受信電力を考慮せず、在圏セルスループット指標＋ヒステリシスよりも、移行先セルスループット指標−オフセットの方が大きい場合に、通信制御部２０６がセルを移行するようにしてもよい。
【００３７】
ステップＳ６０５において、通信制御部２０６は、ステップＳ６０４で選択したセル移行条件を用いてセルを移行するか否かを判断する。セルを移行すると判断した場合（ステップＳ６０５：ＹＥＳ）はステップＳ６０６へ進み、セルを移行しないと判断した場合（ステップＳ６０５：ＮＯ）はステップＳ６０１へ戻る。
ステップＳ６０６において、通信制御部２０６は、通信を行うセルを移行する。その後、ステップＳ６０１に戻る。
【００３８】
なお、ステップS６０４にて、通信制御部２０６がセル移行条件記憶部２１１のセル移行条件を変更してから一定時間経過後に、通信制御部２０６は、セル移行条件記憶部２１１のセル移行条件を、在圏しているセルの受信電力＋ヒステリシスよりも、移行先候補のセルの受信電力−オフセットの方が大きい場合にセルを移行するというセル移行条件に戻す。例えば、通信制御部２０６は、セル移行条件を変更してから１０分経過後に、在圏しているセルの受信電力＋ヒステリシスよりも、移行先候補のセルの受信電力−オフセットの方が大きい場合にセルを移行するというセル移行条件に戻す。
このように、ステップＳ６０３で、移行先セルスループット指標が、が在圏セルスループット指標より大きい場合に、直ちにセル移行を行うのではなく、セル移行条件を変更し、また、セル移行条件を変更した後一定時間はセル移行条件を元に戻さないことにより、ハイブリッドホームセル基地局装置１２０が、移動端末装置１１０が在圏しなければ通信制限を行わないが、移動端末装置１１０が在圏すると通信制限を行う状態において、移動端末装置１１０がハイブリッドホームセル基地局装置１２０と他の基地局装置との間でセル移行を繰り返す事態を避けることができる。
なお、通信制御部２０６がセル移行条件を戻す条件は上記に限らない。例えば、移動端末装置１１０が電波を受信可能な基地局装置の中に、通信制限を行っていて、かつ、移動端末装置１１０のユーザがＣＳＧメンバでない基地局装置があるか否かを通信制限判定部２０３が判定し、該当する基地局装置が無いと判定した場合、かつ、セル移行条件を変更してから一定時間が経過した後に通信制御部２０６がセル移行条件を戻すようにしてもよい。これにより、セル移行条件を戻した場合に、移行先の基地局装置が通信制限中であったために、再度セル移行条件の変更及びセル移行を行う事態を避けることができる。
【００３９】
次に、ハイブリッドホームセル基地局装置１２０について説明する。
図５は、ハイブリッドホームセル基地局装置１２０の概略構成を示す構成図である。同図において、ハイブリッドホームセル基地局装置１２０は、アンテナ部７０１と受信部７０２と通信制御部７０３と有線通信部７０４と移動局割当リソース判定部７０５と通信制限設定部７０６と報知情報生成部７０７と送信部７０９とを含んで構成される。
アンテナ部７０１は、送信部７０９が出力する無線信号を移動端末装置に向けて送信するとともに、移動端末装置から無線信号を受信して、その信号を受信部７０２に出力する。受信部７０２は、アンテナ部７０１を介して移動端末装置からの信号を受信し、受信信号から通信データを読み出して通信制御部７０３に出力する。また、受信部７０２は、各移動端末装置から受信した信号の受信電力を算出し、通信制御部７０３に出力する。
通信制御部７０３は、受信部７０２が出力する、移動端末装置からの通信データを有線通信部７０４に出力する。また、通信制御部７０３は、有線通信部７０４が出力する、自セルに在圏する移動端末装置への通信データをリソースブロックに割り当てて、送信部７０９に出力する。ハイブリッドホームセル基地局装置１２０は、移動端末装置における受信電力の情報を各移動端末装置から受信し、通信制御部７０３は受信電力が大きい移動端末装置に対して、より多くのリソースブロックを割り当てる。さらに、通信制御部７０３は、通信データをリソースブロックに割り当てた際の、無線リソースの使用状況を移動局割当リソース判定部７０５に出力する。
【００４０】
有線通信部７０４はインターネット等に接続されて有線回線と通信を行い、通信制御部７０３から出力された、移動端末装置からの通信データをこの有線回線に送信する。また、有線通信部７０４は、自セルに在圏する移動端末装置への通信データを有線回線から受信すると、受信した通信データを通信制御部７０３に出力する。
移動局割当リソース判定部７０５は、通信制御部７０３から出力される無線リソースの使用状況に基づいて、総リソースブロック数に対する割当済リソースブロック数の割合を算出する。通信制限設定部７０６は、移動局割当リソース判定部７０５が算出した割合が予め設定される閾値より大きい場合は通信制限を設定し、通信制限中であることを示す信号を通信制御部７０３と報知情報生成部７０７とに出力する。
通信制限中であることを示す信号を入力された通信制御部７０３は、ＣＳＧに属するユーザの移動端末装置に優先的にリソースブロックを割り当てることによって、ＣＳＧに属さないユーザの移動端末装置に対して通信制限を行う。
【００４１】
また、通信制限中であることを示す信号を入力された報知情報生成部７０７は、通信制限を行っていることを示している通信制限情報と、ハイブリッドホームセル基地局装置１２０のＣＳＧの識別子とを含む報知情報を生成する。一方、通信制限中であることを示す信号を入力されない場合は、報知情報生成部７０７は、通信制限を行っていないことを示している通信制限情報と、ハイブリッドホームセル基地局装置１２０のＣＳＧの識別子とを含む報知情報を生成する。報知情報生成部７０７は、生成したこの報知情報を送信部７０９に出力する。送信部７０９は、通信制御部７０３から出力される、リソースブロックに割り当てられた通信データと報知情報生成部７０７から出力される報知情報とをアンテナ部７０１を介して移動端末装置１１０等の移動端末装置に送信する。
これにより、移動端末装置１１０は、上述したように、ハイブリッドホームセル基地局装置１２０から受信する報知情報から、通信制限情報とＣＳＧの識別子とを読み出して、ハイブリッドホームセル基地局装置１２０から通信制限を受けているか否かを判断することができる。
【００４２】
以上のように、移動端末装置１１０は通信制限を受けている場合には、受信電力だけでなくスループットを示す指標にも基づいてセルを移行するか否かを判断するので、在圏するハイブリッドホームセル基地局装置１２０からの信号の受信電力が他の基地局装置の信号の受信電力よりも大きい場合でも、スループットがより大きいセルに移行することができる。これにより、移動端末装置１１０は、基地局装置との通信におけるスループットが増加して良好な通信を行うことができる。このように、移動端末装置１１０は、ホームセル基地局装置から通信制限を受けてスループットが低下した場合に、より適切な基地局装置と通信することができる。
また、通信制限が行われている場合にのみセル移行条件を変更することにより、移動端末装置１１０は、通信制限が行われていない場合には受信電力が最大の基地局装置に在圏する。これにより、移動端末装置１１０が、より小さい電力で送受信を行って消費電力を削減できることが期待できる。
また、ハイブリッドホームセル基地局装置は、無線リソース（具体的にはリソースブロック）が不足する場合に通信制限を行う。この、通信制限を行っているハイブリッドホームセル基地局装置から他セルへ移行する移動端末装置が増えることにより、ハイブリッドホームセル基地局装置の無線リソースを解放し、また、ハイブリッドホームセル基地局装置の制御負荷を低減することができる。
【００４３】
なお、ハイブリッドホームセル基地局装置１２０が、通信制限を行っているか否かを示す通信制限情報を、報知情報に含めてではなく、在圏しているＣＳＧメンバ以外のユーザの移動端末装置に対して個別に送信するようにしてもよい。この場合、ハイブリッドホームセル基地局装置１２０は、個別通信情報生成部（不図示）を具備し、また、ＣＳＧメンバ記憶部（不図示）を具備する。個別通信情報生成部は、通信制限設定部７０６から通信制限中であることを示す信号が出力されると、在圏している移動端末装置のうち、ＣＳＧメンバ以外のユーザの移動端末装置に対して個別に、通信制限を行っていることを示している通信制限情報を、送信部７０９及びアンテナ部７０１を介して送信する。移動端末装置１１０は、通信制限情報を受信すると、受信部２０２が通信制限判定部２０３に、通信制限情報を出力する。これにより、ハイブリッドホームセル基地局装置１２０が、通信制限情報を報知情報に含めて送信する上述の場合と同様、移動端末装置１１０は、ハイブリッドホームセル基地局装置１２０から通信制限を受けているか否かを判断することができる。
【００４４】
＜第２の実施形態＞
図６は、本発明の第２の実施形態における移動端末装置１１２の概略構成を示す構成図である。図１の移動端末装置１１０の場合と同様、ハイブリッドホームセル基地局装置１２０とホームセル基地局装置１２１とマクロセル基地局装置１２２とは、移動端末装置１１２との間で無線通信回線を確立して無線通信を行う。また、移動端末装置１１２は、図１の移動端末装置１１０と同様、ホームセル基地局装置１２０のＣＳＧに属していないユーザの移動端末装置である。また、移動端末装置１１２は、図１の移動端末装置１１０と同様、ホームセル基地局装置１２１に在圏可能である。
図６において、移動端末装置１１２は、アンテナ部２０１と受信部２０２と通信制限判定部３０３と在圏セルスループット指標生成部２０４と移行先セルスループット指標生成部２０５と通信制御部２０６とアプリケーション部２０７と送信部２０８と変換テーブル記憶部２１０とセル移行条件記憶部２１１と受信状況記憶部３１２とを含んで構成される。
同図において図２の各部に対応する部分には同一の符号（２０１、２０２、２０４、２０５、２０６、２０７、２０８、２１０、２１１）を付し、説明を省略する。
受信状況記憶部３１２は、在圏セルスループット指標生成部２０４が生成する在圏セルスループット指標と、受信部２０２が、電波環境を表す数量として算出する受信電力とを、同時刻のものを組にして予め定められた時間間隔で記憶する。
通信制限判定部３０３は、受信状況記憶部３１２から各時刻における在圏セルスループット指標と受信電力とを読み出して、読み出した在圏セルスループット指標の合計を読み出した受信電力の合計で除した値と、在圏セルスループット指標生成部２０４から出力される現在の在圏セルスループット指標を、受信部２０２から出力される現在の受信電力で除した値とを比較する。通信制限判定部３０３は、現在の在圏セルスループット指標を現在の受信電力で除した値が、読み出した在圏セルスループット指標の合計を読み出した受信電力の合計で除した値よりも、予め定められた閾値以上小さい場合に、通信制限を受けていると判定する。
前述のように、在圏している各移動端末装置が最大通信速度を必要としている場合は、各基地局装置は受信電力が大きい移動端末装置に対してより多くのリソースブロックを割り当てるよう設定されている。具体的には、各基地局装置は在圏中の移動端末装置に対して受信電力に比例した個数のリソースブロックを割り当てる。
そこで、移動端末装置１１２は、在圏セルスループット指標を受信電力で除した値を算出することにより、割り当てられるリソースブロック数が受信電力の減少以外の理由で減少したか否かを判断する。移動端末装置１１２は、割り当てられるリソースブロック数が受信電力の減少以外の理由で減少したと判断した場合に、通信制限を受けていると判断する。
なお、基地局装置が上記と異なる割当を行う場合は、移動端末装置はその割当に応じた計算方法で計算を行う。例えば、基地局装置が受信電力に関係なくリソースブロックを割り当てる場合は、受信電力で除さないリソースブロック数を算出する。
【００４５】
図７は、受信状況記憶部３１２が記憶する在圏セルスループット指標と受信電力とのテーブルのデータ構成を示す図である。同図において、受信状況記憶部３１２は、受信電力と、在圏セルスループット指標と、その時刻とを記憶する。在圏セルスループット指標は、上記と同様、無線フレーム１個当たりに割り当てられるリソースブロック数である。また、受信電力および在圏セルスループット指標の単位としては、通信制限が行われていない場合に、受信電力と在圏セルスループット指標とが比例する単位を用いる。同図の例では、受信電力の値はマイナス１００デシベルミリを基準値１００とし、例えばマイナス９０デシベルミリを１１０、マイナス１１０デシベルミリを９０とした正の値で示しており、在圏セルスループット指標（ここではリソースブロック数）の単位として「個」を用いている。
受信状況記憶部３１２が記憶するデータが同図の値である場合を例に、通信制限判定部３０３の動作を説明する。通信制限判定部３０３は、時刻ｔ０と時刻ｔ１と時刻ｔ２と時刻ｔ３と時刻ｔ４とについて、在圏セルスループット指標の合計と、受信部２０２から得られる受信電力の合計との比を計算し（２００＋３００＋２００＋２００＋２００）／（１００＋１２０＋９０＋９０＋１００）＝２．２を得る。ここで、例えば、在圏セルスループット指標生成部２０４が出力する在圏セルスループット指標が１００であり、受信部２０２が出力する受信電力が１５０である場合、通信制限判定部３０３は、両者の比を計算して１００／１５０＝０．６７を得る。通信制限判定部３０３は、算出した２つの値の比０．６７／２．２＝０．３０４５をさらに算出する。例えば、閾値が０．５０である場合、算出した値が閾値を下回っているので、通信制限判定部３０３は、ハイブリッドホームセル基地局装置１２０から通信制限を受けていると判定する。
通信制御部２０６は、在圏セルスループット指標生成部２０４から出力される在圏セルスループット指標と、受信部２０２から出力される受信電力とを、時刻とともに受信状況記憶部３１２に書き込む。また、通信制御部２０６は、セルを移行する際に、受信状況記憶部が記憶するスループットと受信電力とを全て削除（リセット）する。
【００４６】
なお、通信制御部２０６が、一定時間ごとに受信状況記憶部３１２に上記のデータを書き込むようにしてもよいし、通信中など何らかのイベント発生時に書き込むようにしてもよい。
なお、在圏セルスループット指標および受信電力の単位は、現在の値と比較可能であれば任意のものでよい。なお、通信制御部２０６が、電波受信環境を考慮せずに在圏セルスループット指標の履歴と現在値とを比較して、通信制限が行われているか否かを判定するようにしてもよい。
【００４７】
以上により、移動端末装置１１２は、ハイブリッドホームセル基地局装置１２０から通信制限を受けているか否かを判断することができる。したがって、移動端末装置１１２は、第１の実施形態の移動端末装置１１０と同様にセル移行するか否かを判断して、第１の実施形態の場合と同様の効果を得ることができる。さらに、本実施形態の移動端末装置１１２は、通信制限を受けていることを示す情報を受信せずとも、通信制限を受けているか否かを判断することができる。
【００４８】
＜第３の実施形態＞
図８は、本発明の第３の実施形態における無線通信システム１０２の概略構成を示すシステム構成図である。同図において、無線通信システム１０２は、移動端末装置１１３及び１１４と、ハイブリッドホームセル基地局装置１２５と、ホームセル基地局装置１２１と、マクロセル基地局装置１２２とを含んで構成される。また、ハイブリッドホームセル基地局装置１２５がサービスを提供する範囲をセルＣ１’で示し、ホームセル基地局装置１２１がサービスを提供する範囲をセルＣ２で示し、マクロセル基地局装置１２２がサービスを提供する範囲をセルＣ３で示す。同図において、図１の各部に対応する部分には同一の符号（１２１、１２２）を付し、説明を省略する。
ハイブリッドホームセル基地局装置１２５は、移動端末装置における受信電力と当該移動端末装置が基地局装置からデータを受信する際のスループットとの関係を示す想定無線リソーステーブルを送信する点で、図１のハイブリッドホームセル基地局装置１２０と異なる。ハイブリッドホームセル基地局装置１２５および想定無線リソーステーブルの詳細は後述する。
【００４９】
移動端末装置１１３及び１１４は、ハイブリッドホームセル基地局装置１２５から受信する想定無線リソーステーブルに基づいて、在圏する基地局装置を移行した場合のスループットを推定する点で、図１の移動端末装置１１０及び１１１と異なる。移動端末装置１１３はハイブリッドホームセル基地局装置１２５のＣＳＧに属していないユーザの移動端末装置である。また移動端末装置１１３はホームセル基地局装置１２１のＣＳＧに属しており、ホームセル基地局装置１２１にアクセス可能である。また移動端末装置１１４はハイブリッドホームセル基地局装置１２５のＣＳＧに属しているユーザの移動端末装置である。移動端末装置１１３の詳細は後述する。移動端末装置１１４の構成は、移動端末装置１１３の構成と同様であり、図示及び説明を省略する。
【００５０】
図９は、本発明の第３の実施形態におけるハイブリッドホームセル基地局装置１２５の概略構成を示す構成図である。同図において、ハイブリッドホームセル基地局装置１２５は、アンテナ部７０１と受信部７０２と通信制御部８０３と有線通信部７０４と移動局割当リソース判定部７０５と通信制限設定部７０６と報知情報生成部８０７と送信部７０９と想定無線リソーステーブル生成部８２１と想定無線リソーステーブル記憶部８２２と無線リソース履歴記憶部８２３とを含んで構成される。
同図において、図５の各部に対応する部分には同一の符号（７０１、７０２、７０４、７０５、７０６、７０９）を付し、説明を省略する。
通信制御部８０３は、図５の通信制御部７０３と同様に動作する。加えて、通信制御部８０３は、受信部７０２が出力する、自ハイブリッドホームセル基地局装置１２５に在圏する移動端末装置から受信する信号から、移動端末装置における受信電力を読み出し、この移動端末装置の識別子と、この移動端末装置に割り当てた無線リソース量、具体的には１フレーム当たりのリソースブロック数と共に、想定無線リソーステーブル生成部８２１に出力する。通信制御部８０３は、−１３０デシベルミリ、−１２５デシベルミリ、・・・というふうに、５デシベルミリの粒度で受信電力を出力する。
想定無線リソーステーブル生成部８２１は、通信制御部８０３から出力される移動端末装置における受信電力とリソースブロック数とに基づいて、無線リソース履歴記憶部８２３と想定無線リソーステーブル記憶部８２２とを更新する。
無線リソース履歴記憶部８２３は、各移動端末装置における受信電力と、その移動端末装置に割り当てたリソースブロック数とを記憶する。
想定無線リソーステーブル記憶部８２２は、移動端末装置における受信電力と、当該受信電力の場合に移動端末装置が使用可能なリソースブロック数の推定値とを記憶する。
報知情報生成部８０７は、通信制限情報を含まず、無線リソーステーブル８２１が生成した無線リソーステーブルを含む報知情報を生成する点で、図５の報知情報生成部７０７と異なる。
【００５１】
図１０は、無線リソース履歴記憶部８２３が記憶する無線リソース履歴テーブルのデータ構成を示すデータ構成図である。同図において、無線リソース履歴テーブルは、移動端末装置識別子と受信電力と無線リソース量（リソースブロック数）とを含んで構成される。
移動端末装置識別子は、移動端末装置を識別する識別子であり、例えば移動端末装置のＩＭＳＩ(International Mobile Subscriber Identity)を用いる。受信電力とリソースブロック数とは、通信制御部８０３から入力される値である。
同図は、例えば、移動端末装置識別子が「８４２３２３６４８９」の移動端末装置から最後に受信した、当該移動端末装置における受信電力が−１１０デシベルミリであり、そのときに当該移動端末装置に割り当てたリソースブロック数が、１フレーム当たり１２個であることを示す。
想定無線リソーステーブル生成部８２１は、通信制御部８０３から出力される移動端末装置の識別子をキーとして無線リソース履歴テーブルを検索し、該当する行に受信電力とリソースブロック数とを書き込む。該当する行が無い場合は、新たに行を追加して移動端末装置の識別子と受信電力とリソースブロック数とを書き込む。
【００５２】
図１１は、想定無線リソーステーブル記憶部８２２が記憶する想定無線リソーステーブルのデータ構成を示すデータ構成図である。同図において、想定無線リソーステーブルは、受信電力と想定無線リソース量とを含んで構成される。
同図の想定無線リソーステーブルは、例えば、受信電力が−１１０デシベルミリの移動端末装置は、使用可能な無線リソース量（リソースブロック数）の推定値が、１フレーム当たり１２個であることを示している。
想定無線リソーステーブル生成部８２１は、無線リソース履歴テーブルを更新すると、更新した受信電力と同じ受信電力の行からリソースブロック数を読み出して、これらのリソースブロック数の平均を算出し、すなわち、受信電力が同じ各移動端末装置に割り当てたリソースブロック数の平均を算出して、想定無線リソーステーブルの当該受信電力の行に書き込む。
報知情報生成部７０９は、報知情報を生成する際に、想定無線リソーステーブル記憶部８２２から想定無線リソーステーブルを読み出して、報知情報に含める。報知情報生成部７０９は、生成した報知情報を送信部７０９及びアンテナ部７０１を介して移動端末装置に送信する。
【００５３】
図１２は、本実施形態における移動端末装置１１３の概略構成を示す構成図である。同図において、移動端末装置１１３は、アンテナ部２０１と受信部２０２と通信制限判定部３０３と在圏セルスループット指標生成部２０４と移行先セルスループット指標生成部２０５と通信制御部４０６とアプリケーション部２０７と送信部２０８と変換テーブル記憶部４１０とセル移行条件記憶部２１１と受信状況記憶部３１２とを含んで構成される。
同図において図６の各部に対応する部分には同一の符号（２０１、２０２、３０３、２０４、２０５、２０７、２０８、２１１、３１２）を付し、説明を省略する。
通信制御部４０６は、図６の通信制御部２０６と同様の動作をする。加えて、通信制御部４０６は、基地局装置が送信する報知情報から想定無線リソーステーブルを読み出し、変換テーブル記憶部４１０に変換テーブルとして書き込む。
移行先セルスループット指標生成部２０５は、通信制御部４０６が変換テーブル記憶部４１０に書き込んだ変換テーブルを用いて、図６の移行先セルスループット指標生成部２０５と同様に、移行先セルスループット指標を生成する。
通信制御部４０６は、在圏セルスループット指標生成部２０４が出力する在圏セルスループット指標と、移行先セルスループット指標生成部２０５が出力する移行先セルスループット指標とに基づいて、セル移行条件を変更するか否かを決定する。
【００５４】
以上のように、移動端末装置１１３は、基地局装置が送信する想定無線リソーステーブルを用いて、移行先セルスループット指標を生成するので、移動局装置は、より適切な基地局装置と通信を行うことができるとともに、動作の簡易化、消費電力の低減を図ることができる。
なお、第１の実施形態と同様に、ハイブリッドホームセル基地局装置１２５が通信制限を行っていることを示す情報を送信し、移動端末装置１１３がこの情報に基づいて通信制限を受けているか否かを判断するようにしてもよい。これにより、第１の実施形態と同様の効果を得られる。
なお、想定無線リソーステーブルを送信する基地局装置は、移動端末装置１１３が在圏している基地局装置に限らない。例えば、移行先候補の基地局装置が報知情報に含めて送信する想定無線リソーステーブルを移動端末装置１１３が受信し、この想定無線リソーステーブルを用いるようにしてもよい。
【００５５】
なお、移動端末装置１１０と１１２と１１３や、ハイブリッドホームセル基地局装置１２０と１２５との各部の機能を実現するためのプログラムをコンピュータ読み取り可能な記録媒体に記録して、この記録媒体に記録されたプログラムをコンピュータシステムに読み込ませ、実行することにより各部の機能を実現するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５６】
以上、この発明の実施形態について図面を参照して詳述してきたが、具体的な構成はこの実施形態に限られるものではなく、この発明の要旨を逸脱しない範囲の設計変更等も含まれる。
【産業上の利用可能性】
【００５７】
本発明は、移動端末装置、基地局装置及び無線通信システムに用いて好適である。
【符号の説明】
【００５８】
１００  無線通信システム
１１０、１１１、１１２、１１３  移動端末装置
１２０、１２５  ハイブリッドホームセル基地局装置
１２１  ホームセル基地局装置
１２２  マクロセル基地局装置
２０１、７０１  アンテナ部
２０２、７０２  受信部
２０３、３０３  通信制限判定部
２０４  在圏セルスループット指標生成部
２０５  移行先セルスループット指標生成部
２０６、４０６、７０３、８０３  通信制御部
２０７  アプリケーション部
２０８、７０９  送信部
２０９  ＣＳＧリスト記憶部
２１０、４１０  変換テーブル記憶部
２１１  セル移行条件記憶部
３１２  受信状況記憶部
７０４  有線通信部
７０５  移動局割当リソース判定部
７０６  通信制限設定部
７０７  報知情報生成部
８２１  想定無線リソーステーブル生成部
８２２  想定無線リソーステーブル記憶部
８２３  無線リソース履歴記憶部
【図１】
2011087041.tif 000003
【図２】
2011087041.tif 000004
【図３】
2011087041.tif 000005
【図４】
2011087041.tif 000006
【図５】
2011087041.tif 000007
【図６】
2011087041.tif 000008
【図７】
2011087041.tif 000009
【図８】
2011087041.tif 000010
【図９】
2011087041.tif 000011
【図１０】
2011087041.tif 000012
【図１１】
2011087041.tif 000013
【図１２】
2011087041.tif 000014